(57)【要約】【課題】低コストで発砲飲料を効果的に気泡させることができる発砲飲料の抽出補助具の提供。【解決手段】発砲飲料、例えばビールが入っているビン３の王冠２の位置、すなわち発砲飲料の抽出部に、抽出補助具１を設ける。この抽出補助具１は、ビン３内の発砲飲料をコップなどの容器に抽出する際に、気泡作用を高めるものである。３ａはビン３の先端部である。抽出補助具１は、ビン３の先端部３ａに被着できるような内径を有する中空の円筒状筒部の端部表面に、メッシュ部を設ける。メッシュ部の素材は、ポリエステルのようなプラスチック繊維、ポリプロピレンのような合成樹脂、またはアルミ等の金属を用いる。【選択図】図１
2009107722.tif 000002
【特許請求の範囲】
【請求項１】
発砲飲料が収容されている容器の前記発砲飲料の抽出部に、発砲飲料の発砲作用を促進する部材を設けたことを特徴とする、発砲飲料の抽出補助具。
【請求項２】
前記容器は、ビンまたは缶であることを特徴とする、請求項１に記載の発砲飲料の抽出補助具。
【請求項３】
前記発砲飲料の発砲作用を促進する部材は、予め前記ビンまたは缶に取り付けられていることを特徴とする、請求項１または請求項２に記載の発砲飲料の抽出補助具。
【請求項４】
前記発砲飲料の発砲作用を促進する部材は、前記ビンまたは缶とは分離して製造されており、利用者が当該発砲飲料の飲用時に前記発砲飲料の抽出部に取り付けることを特徴とする、請求項１または請求項２に記載の発砲飲料の抽出補助具。
【請求項５】
前記発砲飲料の発砲作用を促進する部材は、メッシュ部として構成されていることを特徴とする、請求項１ないし請求項４のいずれかに記載の発砲飲料の抽出補助具。
【請求項６】
前記メッシュ部の素材は、化学繊維、合成樹脂、または金属細線であることを特徴とする、請求項５に記載の発砲飲料の抽出補助具。
【発明の詳細な説明】
【技術分野】
【０００１】  本発明は、低コストで発砲飲料を効果的に気泡させることができる発砲飲料の抽出補助具に関するものである。
【背景技術】
【０００２】  ビールなどの発砲飲料をより美味しく飲む手段として、素焼きのカップで飲むことや、家庭用小型ビールサーバを用いることが知られている。特許文献１には、専用の気泡具を通してグラスにビールを注ぐことにより、良質の泡を発生させることが記載されている。【０００３】
【特許文献１】  特開２００４−２１７２７２号公報
【発明の開示】
【発明が解決しようとする課題】
【０００４】  素焼きのカップや家庭用小型ビールサーバを用いる場合には、いずれも専用の容器や器具が必要となり、これらの専用の容器や器具を準備しておかないと対応できないという問題がある。また、特許文献１に記載の技術は、気泡具として、予め水洗い煮沸した後に乾燥させた炭材を使用するものであり、準備に手間がかかるという問題があった。【０００５】  本発明は従来技術のこのような問題点に鑑みてなされたものであり、その目的は、低コストで発砲飲料を効果的に気泡させることができる発砲飲料の抽出補助具を提供することにある。
【課題を解決するための手段】
【０００６】  上記目的を達成する本発明の発砲飲料の補助具は、発砲飲料が収容されている容器の前記発砲飲料の抽出部に、発砲飲料の発砲作用を促進する部材を設けたことを特徴とする。【０００７】  また、本発明の発砲飲料の抽出補助具は、前記容器は、ビンまたは缶であることを特徴とする。【０００８】  また、本発明の発砲飲料の抽出補助具は、前記発砲飲料の発砲作用を促進する部材は、予め前記ビンまたは缶に取り付けられていることを特徴とする。【０００９】  また、本発明の発砲飲料の抽出補助具は、前記発砲飲料の発砲作用を促進する部材は、前記ビンまたは缶とは分離して製造されており、利用者が当該発砲飲料の飲用時に前記発砲飲料の抽出部に取り付けることを特徴とする。【００１０】  また、本発明の発砲飲料の抽出補助具は、前記発砲飲料の発砲作用を促進する部材は、メッシュ部として構成されていることを特徴とする。【００１１】  また、本発明の発砲飲料の抽出補助具は、前記メッシュ部の素材は、化学繊維、合成樹脂、または金属細線であることを特徴とする。【００１２】  本発明の実施形態においては、素焼きのカップや、家庭用小型ビールサーバを必要としない。また、特許文献１に記載されているような専用の気泡具を必要としない。単に、メッシュ部を形成した部材を発砲飲料の抽出位置に配置するだけの簡易な構成としている。このため、低コストで、しかも気泡作用が良好な発砲飲料の抽出補助具を提供することができる。
【発明を実施するための最良の形態】
【００１３】  本発明の実施形態を説明する。図１は、第１の実施形態を示す説明図である。図１において、発砲飲料、例えばビールが入っているビン３の王冠２の位置、すなわち発砲飲料の抽出部に、抽出補助具１を設ける。この抽出補助具１は、ビン３内の発砲飲料をコップなどの容器に抽出する際に、気泡作用を高めるものである。３ａはビン３の先端部である。【００１４】  図２は、前記抽出補助具１を拡大して示す説明図である。図２（ａ）は、抽出補助具１の全体を示す図である。ビン３の先端部３ａに被着できるような内径を有する中空の円筒状筒部１ｃの端部表面に、図２（ｂ）に示すようなメッシュ部１ｂを設ける。メッシュ部１ｂの表面は、フイルム状のカバー１ａで覆う。このカバー１ａには、突出部１ｄが形成されており、抽出補助具１の使用時には突出部１ｄを矢視Ｒ方向に引き上げてメッシュ部１ｂを露出させる。【００１５】  メッシュ部１ｂの素材は、ポリエステルのような化学繊維、ポリプロピレンのような合成樹脂、またはアルミ等の金属を用いる。メッシュ部１ｂとしては、人体に無害で、衛生面でも安全であり、加工がしやすく、低コストで生産できる素材を選定する。【００１６】  メッシュ部１ｂは、基本的にはシート状の構造としており、二重構造とすることにより、気泡効果が高められる。ビン３内に収納された発砲飲料は、容器に抽出する際に、外部の空気に触れる直前に抽出補助具１のメッシュ部１ｂと接触して抵抗力を受け、乱流が発生する。このため、発砲飲料を容器に注ぐ際に、程よい気泡が生じて美味を増進させることができる。【００１７】  なお、抽出補助具１の発砲飲料抽出位置に設ける部材は、メッシュ部１ｂには限定されない。例えば、前記素材（合成樹脂、金属薄板など）に極小の穴をパンチングしたり、液体透過性の特殊フィルムをビン３の開口部に被着させる構成とすることもできる。【００１８】  図２で説明した抽出補助具１は、発砲飲料の製造工場において、最終処理工程で王冠２を被着する際に、その前工程でビン３に取り付けるものであるが、抽出補助具１を別部材として別途市販することもできる。この場合には、利用者が抽出補助具１を購入し、発砲飲料を消費する際に、王冠２を外しビン３の開口部に抽出補助具１を被着する。抽出補助具１の利用後は、洗剤で水洗後に水きり、乾燥させて、繰り返し使用しても衛生面で問題が生じないように留意する。【００１９】  図３〜図５は、本発明の異なる実施形態を示す説明図である。図３において、１０は抽出補助具で外周に沿ってフランジ部１０ａを設け、皿状に形成している。抽出補助具１０は、合成樹脂または金属板により作成する。抽出補助具１０の表面を一部切欠いてメッシュ部１１を設ける。メッシュ部１１の素材や機能は、図２で説明した通りである。【００２０】  ４は発砲飲料が収納されている缶で、前記抽出補助具１０のフランジ部１０ａを缶４の外縁部４ａに被着する。抽出補助具１０のメッシュ部１１をプルトップ部５の位置に合わせ、缶４に収納されている発砲飲料を、メッシュ部１１を通して容器に注ぐか、または直接缶から飲用する。抽出補助具１０も発砲飲料の製造工場で被着するか、または、市販のものを利用者が購入して使用するか、いずれの態��でも採用できる。【００２１】  図４は、缶４のプルトップ部５で開口させた発砲飲料の抽出口の位置に、メッシュ部６の部分を開口して発砲飲料が通過できるようにした接着テープ８を貼り付けた例の説明図である。図４（ａ）は、全体を示す図であり、図４（ｂ）は、メッシュ部６と接着テープ８を拡大して示す図である。図４の例では、単にメッシュ部６を接着テープ８でプルトップ部５の開口部に貼り付けるだけで、簡単に美味な発砲飲料を飲用することができる。この例では、メッシュ部６と接着テープ８は使い捨てとすることができる。【００２２】  図５は、缶４のプルトップ部５で開口させた発砲飲料の抽出口の位置に、メッシュ部７を予め形成しておく例を示す説明図である。図５（ａ）は全体を示す図であり、図５（ｂ）は部分的に拡大した図である。図５（ｂ）に示すように、プルトップ部５を矢視Ｓ方向に回動して開口部を露出させると、この部分にはメッシュ部７が設けられている。図５の例では、利用者はプルトップ部５を矢視Ｓ方向に回動させる通常の操作でメッシュ部７を露出させるので、手間がかからないという利点がある。【００２３】  以上、本発明の発砲飲料の抽出補助具について説明してきたが、本発明はこれら実施形態に限定されず種々の変形が可能である。
【図面の簡単な説明】
【００２４】
【図１】  本発明の実施形態を示す説明図である。
【図２】  本発明の実施形態を示す説明図である。
【図３】  本発明の実施形態を示す説明図である。
【図４】  本発明の実施形態を示す説明図である。
【図５】  本発明の実施形態を示す説明図である。
【符号の説明】
【００２５】  １、１０・・・抽出補助具、１ａ・・・フィルム、１ｂ、６、７、１１・・・メッシュ部、１ｃ・・・筒部、２・・・王冠、３・・・ビン、４・・・缶、５・・・プルトップ部、８・・・接着テープ、１０ａ・・・フランジ部
【図１】
2009107722.tif 000003
【図２】
2009107722.tif 000004
【図３】
2009107722.tif 000005
【図４】
2009107722.tif 000006
【図５】
2009107722.tif 000007